(57)【特許請求の範囲】
【請求項１】
充電装置であって、
送電装置から非接触で送電される電力を受け取る受電手段と、
前記受電手段から供給される電力を用いて第１のバッテリを充電する充電手段と、
前記送電装置と通信を行う通信手段と、
前記送電装置が前記充電装置に供給可能な電力量に関する情報が前記通信手段により受信されたことに応じて、前記送電装置に送電を要求するための処理を行う制御手段と
を有し、
前記制御手段は、前記通信手段により受信された前記情報に応じて、前記送電装置と商用電源とが接続されているか、前記送電装置が前記商用電源と接続されておらず第２のバッテリと接続されているかを検出し、
前記制御手段は、前記送電装置が前記商用電源と接続されておらず前記第２のバッテリと接続されていることを検出した場合に、前記送電装置が前記充電装置に供給可能な電力量及び前記第１のバッテリの残量に基づいて、前記送電装置に要求する第１の電力量を設定し、前記第１の電力量の送電を前記送電装置に要求するための第１の情報を前記送電装置に送信するように前記通信手段を制御し、
前記制御手段は、前記送電装置が前記商用電源と接続されていることを検出した場合に、前記第１のバッテリを満充電にするために用いられる第２の電力量の送電を前記送電装置に要求するための第２の情報を前記送電装置に送信するように前記通信手段を制御することを特徴とする充電装置。
【請求項２】
前記受電手段は、前記第１の情報及び前記第２の情報のいずれか一つに応じて前記送電装置から送電される電力を受け取ることを特徴とする請求項１に記載の充電装置。
【請求項３】
前記制御手段は、前記送電装置が前記商用電源と接続されておらず前記第２のバッテリと接続されていることを検出した場合に、前記送電装置が前記充電装置に供給可能な電力量と、前記第１のバッテリの残量との和が所定値以上であるか否かに応じて、前記第１の電力量の設定を行うことを特徴とする請求項１または２に記載の充電装置。
【請求項４】
前記制御手段は、前記送電装置が前記充電装置に供給可能な電力量と、前記第１のバッテリの残量との和が前記所定値以上であることが検出された場合に、前記第１のバッテリを満充電にするために用いられる電力量を前記第１の電力量として設定することを特徴とする請求項３に記載の充電装置。
【請求項５】
前記制御手段は、前記送電装置が前記充電装置に供給可能な電力量と、前記第１のバッテリの残量との和が前記所定値以上でないことが検出された場合に、前記送電装置が前記充電装置に供給可能な電力量を前記第１の電力量として設定することを特徴とする請求項３または４に記載の充電装置。
【請求項６】
送電装置から非接触で送電される電力を受け取るステップと、
前記送電装置から送電される電力を用いて第１のバッテリを充電するステップと、
前記送電装置と通信するステップと、
前記送電装置が供給可能な電力量に関する情報が前記送電装置から受信されたことに応じて、前記送電装置に送電を要求するための処理を行うステップと、
前記送電装置から受信された前記情報に応じて、前記送電装置が商用電源と接続されているか、前記送電装置が前記商用電源と接続されておらず第２のバッテリと接続されているかを検出するステップと、
前記送電装置が前記商用電源と接続されておらず前記第２のバッテリと接続されていることが検出された場合に、前記送電装置が供給可能な電力量及び前記第１のバッテリの残量に基づいて、前記送電装置に要求する第１の電力量を設定するステップと、
前記送電装置が前記商用電源と接続されておらず前記第２のバッテリと接続されていることが検出された場合に、前記第１の電力量の送電を前記送電装置に要求するための第１の情報を前記送電装置に送信するステップと、
前記送電装置が前記商用電源と接続されていることが検出された場合に、前記第１のバッテリを満充電にするために用いられる第２の電力量の送電を前記送電装置に要求するための第２の情報を前記送電装置に送信するステップと
を有する充電方法。
【請求項７】
送電装置から非接触で送電される電力を受け取るステップと、
前記送電装置から送電される電力を用いて第１のバッテリを充電するステップと、
前記送電装置と通信するステップと、
前記送電装置が供給可能な電力量に関する情報が前記送電装置から受信されたことに応じて、前記送電装置に送電を要求するための処理を行うステップと、
前記送電装置から受信された前記情報に応じて、前記送電装置が商用電源と接続されているか、前記送電装置が前記商用電源と接続されておらず第２のバッテリと接続されているかを検出するステップと、
前記送電装置が前記商用電源と接続されておらず前記第２のバッテリと接続されていることが検出された場合に、前記送電装置が供給可能な電力量及び前記第１のバッテリの残量に基づいて、前記送電装置に要求する第１の電力量を設定するステップと、
前記送電装置が前記商用電源と接続されておらず前記第２のバッテリと接続されていることが検出された場合に、前記第１の電力量の送電を前記送電装置に要求するための第１の情報を前記送電装置に送信するステップと、
前記送電装置が前記商用電源と接続されていることが検出された場合に、前記第１のバッテリを満充電にするために用いられる第２の電力量の送電を前記送電装置に要求するための第２の情報を前記送電装置に送信するステップと
をコンピュータに実行させるためのプログラム。
【請求項８】
充電装置であって、
送電装置から非接触で送電される電力を受け取る受電手段と、
前記受電手段から供給される電力を用いて第１のバッテリを充電する充電手段と、
前記送電装置と通信する通信手段と、
前記送電装置が前記充電装置に供給可能な電力量に関する情報が前記通信手段により受信されたことに応じて、前記送電装置に送電を要求するための処理を行う制御手段と
を有し、
前記制御手段は、前記通信手段により受信された前記情報に応じて、前記送電装置が商用電源と接続されているか、前記送電装置が前記商用電源と接続されておらず第２のバッテリと接続されているかを検出し、
前記制御手段は、前記送電装置が前記商用電源と接続されておらず前記第２のバッテリと接続されていることを検出した場合に、前記送電装置が前記充電装置に供給可能な電力量及び前記第１のバッテリの残量に基づいて前記送電装置に要求する電力量を設定するための第１の処理により前記送電装置に要求する第１の電力量を設定し、前記第１の電力量の送電を前記送電装置に要求するための第１の情報を前記送電装置に送信するように前記通信手段を制御し、
前記制御手段は、前記送電装置が前記商用電源と接続されていることを検出した場合に、前記第１の処理と異なる第２の処理により前記送電装置に要求する第２の電力量を設定し、前記第２の電力量の送電を前記送電装置に要求するための第２の情報を前記送電装置に送信するように前記通信手段を制御することを特徴とする充電装置。
【請求項９】
前記受電手段は、前記第１の情報及び前記第２の情報のいずれか一つに応じて前記送電装置から送電される電力を受け取ることを特徴とする請求項８に記載の充電装置。
【請求項１０】
前記制御手段は、前記送電装置が前記充電装置に供給可能な電力量と、前記第１のバッテリの残量との和が所定値以上であるか否かに応じて、前記第１の電力量の設定を行うことを特徴とする請求項８または９に記載の充電装置。
【請求項１１】
前記制御手段は、前記送電装置が前記充電装置に供給可能な電力量と、前記第１のバッテリの残量との和が前記所定値以上であることが検出された場合に、前記第１のバッテリを満充電にするために用いられる電力量を前記第１の電力量として設定することを特徴とする請求項１０に記載の充電装置。
【請求項１２】
前記制御手段は、前記送電装置が前記充電装置に供給可能な電力量と、前記第１のバッテリの残量との和が前記所定値以上でないことが検出された場合に、前記送電装置が前記充電装置に供給可能な電力量を前記第１の電力量として設定することを特徴とする請求項１０または１１に記載の充電装置。
【請求項１３】
送電装置から非接触で送電される電力を受け取るステップと、
前記送電装置から供給される電力を用いて第１のバッテリを充電するステップと、
前記送電装置と通信するステップと、
前記送電装置が供給可能な電力量に関する情報が前記送電装置から受信されたことに応じて、前記送電装置に送電を要求するための処理を行うステップと、
前記送電装置から受信された前記情報に応じて、前記送電装置が商用電源と接続されているか、前記送電装置が前記商用電源と接続されておらず第２のバッテリと接続されているかを検出するステップと、
前記送電装置が前記商用電源と接続されておらず前記第２のバッテリと接続されていることが検出された場合に、前記送電装置が供給可能な電力量及び前記第１のバッテリの残量に基づいて前記送電装置に要求する電力量を設定するための第１の処理により前記送電装置に要求する第１の電力量を設定するステップと、
前記送電装置が前記商用電源と接続されておらず前記第２のバッテリと接続されていることが検出された場合に、前記第１の電力量の送電を前記送電装置に要求するための第１の情報を前記送電装置に送信するステップと、
前記送電装置が前記商用電源と接続されていることが検出された場合に、前記第１の処理と異なる第２の処理により前記送電装置に要求する第２の電力量を設定するステップと、
前記送電装置が前記商用電源と接続されていることが検出された場合に、前記第２の電力量の送電を前記送電装置に要求するための第２の情報を前記送電装置に送信するステップと
を有することを特徴とする充電方法。
【請求項１４】
送電装置から非接触で送電される電力を受け取るステップと、
前記送電装置から供給される電力を用いて第１のバッテリを充電するステップと、
前記送電装置と通信するステップと、
前記送電装置が供給可能な電力量に関する情報が前記送電装置から受信されたことに応じて、前記送電装置に送電を要求するための処理を行うステップと、
前記送電装置から受信された前記情報に応じて、前記送電装置が商用電源と接続されているか、前記送電装置が前記商用電源と接続されておらず第２のバッテリと接続されているかを検出するステップと、
前記送電装置が前記商用電源と接続されておらず前記第２のバッテリと接続されていることが検出された場合に、前記送電装置が供給可能な電力量及び前記第１のバッテリの残量に基づいて前記送電装置に要求する電力量を設定するための第１の処理により前記送電装置に要求する第１の電力量を設定するステップと、
前記送電装置が前記商用電源と接続されておらず前記第２のバッテリと接続されていることが検出された場合に、前記第１の電力量の送電を前記送電装置に要求するための第１の情報を前記送電装置に送信するステップと、
前記送電装置が前記商用電源と接続されていることが検出された場合に、前記第１の処理と異なる第２の処理により前記送電装置に要求する第２の電力量を設定するステップと、
前記送電装置が前記商用電源と接続されていることが検出された場合に、前記第２の電力量の送電を前記送電装置に要求するための第２の情報を前記送電装置に送信するステップと
をコンピュータに実行させるためのプログラム。
【発明の詳細な説明】
【技術分野】
【０００１】
本発明は、充電装置等に関する。
【背景技術】
【０００２】
近年、電磁誘導などの技術を使い電池を充電する、非接触充電の技術が進歩している。非接触充電では、ケーブルや接続端子などを介さずに充電が可能なため、携帯電話やデジタルカメラ、デジタルビデオカメラ、ノート型パーソナルコンピュータなどの携帯機器間での充電システムが提案されている。このような携帯機器間で充電を行う場合、供給機器が供給できる電力量に限りがあるため、常に充電機器の電池が満充電になるまで充電できるとは限らない。
【０００３】
そこで、充電を開始する前に、電池残量とユーザが所望する電力量とに基づいて、充電する電力量を決定し、決定された電力量を供給機器が充電機器に供給する技術が提案されている（例えば、特許文献１を参照）。
【０００４】
【特許文献１】特開２００６−２８７５５５号公報
【発明の開示】
【発明が解決しようとする課題】
【０００５】
前記特許文献１に記載の電力移動システムでは、送電側機器のバッテリ残量や受電側機器のバッテリ残量を比較して充電量を決めている。しかしながら、特許文献１に記載のように、充電する電力量レベルを残量のみで決定すると、送電側機器及び受電側機器の双方に最適な充電量で充電することができない問題点があった。
【０００６】
本発明は、充電装置に最適な電力量が供給されるようにすることを目的としている。
【課題を解決するための手段】
【０００８】
本発明に係る充電装置は、充電装置であって、送電装置から非接触で送電される電力を受け取る受電手段と、前記受電手段から供給される電力を用いて第１のバッテリを充電する充電手段と、前記送電装置と通信を行う通信手段と、前記送電装置が前記充電装置に供給可能な電力量に関する情報が前記通信手段により受信されたことに応じて、前記送電装置に送電を要求するための処理を行う制御手段とを有し、前記制御手段は、前記通信手段により受信された前記情報に応じて、前記送電装置と商用電源とが接続されているか、前記送電装置が前記商用電源と接続されておらず第２のバッテリと接続されているかを検出し、前記制御手段は、前記送電装置が前記商用電源と接続されておらず前記第２のバッテリと接続されていることを検出した場合に、前記送電装置が前記充電装置に供給可能な電力量及び前記第１のバッテリの残量に基づいて、前記送電装置に要求する第１の電力量を設定し、前記第１の電力量の送電を前記送電装置に要求するための第１の情報を前記送電装置に送信するように前記通信手段を制御し、前記制御手段は、前記送電装置が前記商用電源と接続されていることを検出した場合に、前記第１のバッテリを満充電にするために用いられる第２の電力量の送電を前記送電装置に要求するための第２の情報を前記送電装置に送信するように前記通信手段を制御することを特徴とする。
また、本発明に係る充電装置は、充電装置であって、送電装置から非接触で送電される電力を受け取る受電手段と、前記受電手段から供給される電力を用いて第１のバッテリを充電する充電手段と、前記送電装置と通信する通信手段と、前記送電装置が前記充電装置に供給可能な電力量に関する情報が前記通信手段により受信されたことに応じて、前記送電装置に送電を要求するための処理を行う制御手段とを有し、前記制御手段は、前記通信手段により受信された前記情報に応じて、前記送電装置が商用電源と接続されているか、前記送電装置が前記商用電源と接続されておらず第２のバッテリと接続されているかを検出し、前記制御手段は、前記送電装置が前記商用電源と接続されておらず前記第２のバッテリと接続されていることを検出した場合に、前記送電装置が前記充電装置に供給可能な電力量及び前記第１のバッテリの残量に基づいて前記送電装置に要求する電力量を設定するための第１の処理により前記送電装置に要求する第１の電力量を設定し、前記第１の電力量の送電を前記送電装置に要求するための第１の情報を前記送電装置に送信するように前記通信手段を制御し、前記制御手段は、前記送電装置が前記商用電源と接続されていることを検出した場合に、前記第１の処理と異なる第２の処理により前記送電装置に要求する第２の電力量を設定し、前記第２の電力量の送電を前記送電装置に要求するための第２の情報を前記送電装置に送信するように前記通信手段を制御することを特徴とする。
【発明の効果】
【００１２】
本発明によれば、充電装置に最適な電力量が供給されるようにすることができる。
【発明を実施するための最良の形態】
【００１３】
（第１の実施形態）
以下に、図面を参照しながら本実施形態について説明する。
図１は、本実施形態に係る充電システムの構成例を示すブロック図である。図１に示すように、本実施形態の充電システムでは電力を送る送電装置２００と、送電装置２００から供給された電力を受け取ってバッテリを充電する充電装置３００から構成される。
【００１４】
送電装置２００は、商用電源１００とバッテリ２０５とから電力を受けることができる。商用電源１００は商用電源アダプタ１０１を通して電源制御部２０４に給電される。
【００１５】
電源制御部２０４は、現在の送電装置２００における給電方式が、商用電源１００かバッテリ２０５であるかを検出する。そして、商用電源１００から電力を受けている場合は商用電源アダプタ１０１からの電力を送電装置２００全体の駆動電源となるように制御する。また、商用電源１００から電力を受けていない場合、バッテリ２０５を送電装置２００全体の駆動電源となるように制御する。更に、本実施形態では、商用電源１００からの電力を利用して、バッテリ２０５の充電を行う。
【００１６】
送受信部２０１は、送受信部３０１との通信を行う。即ち、充電制御部２０３から送られてきた情報を送受信部３０１へ送信し、送受信部３０１から受信した情報は充電制御部２０３へ送信する。本実施形態においては、充電装置３００から送られる要求電力量情報を送受信部２０１が受信する。また、充電装置３００から送られる要求電力量情報に応じて、充電制御部２０３で算出する供給可能な電力量情報を充電装置３００に送信する。
【００１７】
電力伝送部２０２は、公知の電磁誘導方式などの技術により、電源制御部２０４から充電制御部２０３を通して送られてきた電力を電力伝送部３０２へ送電する。具体的には、電力伝送部２０２は、コイルと、コイルに対して電流を流す回路、及びコイルに流れる電流を検出する回路などを有する。そして、コイルに供給する電流を周期的に変化させることにより、充電装置３００に対して非接触に電力を供給する。
充電制御部２０３は、送受信部２０１との間で情報を送受信すると共に、電力伝送部２０２による電力の供給を制御する。また、送受信部２０１からの情報や電力伝送部２０２におけるコイルに流れる電流の変化などにより、充電装置３００が近接したことを検出したり、電力伝送部２０２を通して送電する電力量を制御したりする。更に、電源制御部２０４からの給電方式情報を取得したり、電源制御部２０４で検出されたバッテリ残量や給電方式情報などを元に供給可能電力量を算出したりする。本実施形態においては、送電装置２００における電力の供給能力によって、充電装置３００に供給可能な電力量を算出する。
【００１８】
充電装置３００の電源制御部３０４は、バッテリ３０５への充電の制御を行う。ここで、バッテリ３０５は、外部の送電装置から供給される電力により充電が可能な二次電池である。電源制御部３０４は、電源制御部２０４と同様に、バッテリ３０５の残量や容量を検出し、バッテリ３０５を充電する。なお、充電装置３００においても、送電装置２００と同様に、商用電源から電力を受ける構成とすることも可能である。
【００１９】
送受信部３０１は、送受信部２０１と通信を行い、充電制御部３０３から送られてきた情報を送受信部２０１へ送信し、送受信部２０１から受信した情報を充電制御部３０３へ送信する。
【００２０】
電力伝送部３０２は、電力伝送部２０２から送電された電力を受電し、充電制御部３０３へと送る。充電制御部３０３は、送受信部３０１との情報の送受信を行う。また、その他に、電力伝送部３０２から送られてきた電力を電源制御部３０４へ送ったり、送受信部３０１からの情報や電力伝送部３０２からの電力により近接検出を行ったりする。更に、送受信部３０１からの情報や電源制御部３０４からの検出された残量情報などにより充電要求量の算出を行う。
【００２１】
前述のように構成された本実施形態の充電システムにおいて行われる充電の動作を図２、図３、図４を用いて説明する。
図２において、送電装置２００と充電装置３００とが近接されると、ステップＳ４０１の処理を行い、充電制御部２０３や充電制御部３０３で近接を検出する。充電装置３００は、送電装置２００の近接を検出すると、ステップＳ４０３の処理を行い、充電制御部３０３からの供給可能電力量の情報、送受信部３０１を通して送電装置２００に要求する。
【００２２】
一方、送電装置２００は、充電装置３００の近接を検出すると、ステップＳ４０２の処理を行い、電源制御部２０４の給電方式を充電制御部２０３が検出する。次に、ステップＳ４０４において、供給可能電力量算出処理を行い、給電方式情報やバッテリ残量に応じて供給可能な電力量を算出する。次に、ステップＳ４０５の処理として、算出された供給可能な電力量の情報を、送受信部２０１を通して充電装置３００へ返信する。
【００２３】
送電装置２００から送信された供給可能電力量情報を取得した充電装置３００は、ステップＳ４０６の処理を行い、取得した供給可能電力量情報に応じて充電制御部３０３で要求充電量を算出する。次に、ステップＳ４０７の処理を行い、充電制御部３０３は、送受信部３０１を通して充電量要求を送電装置２００に送信する。
【００２４】
送電装置２００から送信された充電量要求を受信すると、送電装置２００はステップＳ４０８の処理を行い、要求された充電量に応じて送電を開始し、充電装置３００に対して充電を行う。
【００２５】
ここで、図２のステップＳ４０４の処理においては、給電方式に応じて供給可能電力量を算出するが、この供給可能電力量の算出手順を、図３を用いて説明する。
算出処理が開始されると、先ず、ステップＳ５０１の処理を行い、給電方式の種類を検出する。そして、給電方式が商用電源の場合はステップＳ５０２へ処理を進め、給電方式がバッテリの場合はステップＳ５０３へ処理を進める。
【００２６】
ステップＳ５０２においては、給電方式が商用電源であるので、供給可能電力量情報は無限であると算出する。この場合、充電制御部２０３は、供給可能な電力量の情報として、無限であること、即ち、供給可能な電力量に制限が無く、無制限である旨を示す所定値の情報を充電装置３００に送信するよう、送受信部２０１を制御する。
【００２７】
一方、ステップＳ５０３においては、電源制御部２０４で得られたバッテリの残量に従い、供給可能な連力量を算出する。具体的には、バッテリ２０５の残量そのものを示す情報を供給可能な電力量としてもよいし、或いは、バッテリ２０５に保持しておきたい電力をバッテリ２０５の残量から差し引いた値を供給可能な電力量としてもよい。そして、算出した供給可能な電力量の情報を充電装置３００に送信するよう、送受信部２０１を制御する。
【００２８】
図２のステップＳ４０６の処理は、送電装置２００からの供給可能情報量に応じて要求充電量を算出するが、その要求充電量算出手順を、図４のフローチャートを用いて説明する。
先ず、ステップＳ６０１において、送電装置２００の供給可能な電力量を判別する。この結果、送電装置２００供給可能な電力量が無限であった場合はステップ６０２へと処理を進め、無限でなかった場合（有限であった場合）はステップＳ６０３へと処理を進める。
【００２９】
ステップＳ６０２においては、送電装置２００の供給可能な電力量が無限であるため、バッテリ３０５を満充電状態とするために必要な電力を要求電力量として算出する。具体的には、電源制御部３０４で検出されたバッテリ３０５の容量と、現在のバッテリ残量との差を要求電力量として算出する。
【００３０】
一方、ステップＳ６０３においては、受信した供給可能な電力量と現在のバッテリ３０５の残量、及びバッテリ３０５の容量とに応じて要求電力量を算出する。具体的には、充電制御部３０３で検出したバッテリ残量と供給可能な電力量との和が充電制御部３０３で検出したバッテリ容量以下の場合は、供給可能な電力量をそのまま要求電力量と算出する。
【００３１】
一方、バッテリ３０５の残量と供給可能な電力量との和がバッテリ３０５の容量以上の場合は、バッテリ３０５を満充電状態とすることができると判断し、バッテリ３０５の容量とバッテリ３０５の残量との差を要求電力量として算出する。
【００３２】
なお、前述した実施形態においては図示を省略したが、送電装置２００は、充電装置３００が非接触状態で近接したことを検出する近接検出部を設けるとともに、充電装置３００には、送電装置２００が非接触状態で近接したことを検出する近接検出部を設ける。また、充電装置３００には、近接検出部が送電装置２００の近接を検出すると、送電装置２００に対して要求する電力量を決定し、決定した要求電力量を示す要求電力量情報を送電装置２００に送信する送信部を更に設ける。
【００３３】
近接検出部による近接の検出は、例えば、送電装置２００の送受信部２０１及び充電装置３００の送受信部３０１が、微弱の電波を定期的に出力する電波出力回路と、電波入力を検出するための電波検出回路を備えることによって実現できる。この構成により、送受信部（２０１、３０１）同士を近づけた場合、それぞれがお互いの微弱電波を検出することによって近接を検出することが可能である。
【００３４】
（本発明に係る他の実施形態）
前述した本実施形態における送電装置２００、充電装置３００を構成する各手段は、コンピュータのＲＡＭやＲＯＭなどに記憶されたプログラムが動作することによって実現できる。このプログラム及びプログラムを記録したコンピュータ読み取り可能な記録媒体は本発明に含まれる。
【００３５】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００３６】
なお、本発明は、前述した送電方法、充電方法における各工程を実行するソフトウェアのプログラム（実施形態では図３及び図４に示すフローチャートに対応したプログラム）を、システムあるいは装置に直接、あるいは遠隔から供給する。そして、そのシステムあるいは装置のコンピュータが供給されたプログラムコードを読み出して実行することによっても達成される場合を含む。
【００３７】
したがって、本発明の機能処理をコンピュータで実現するために、コンピュータにインストールされるプログラムコード自体も本発明を実現するものである。つまり、本発明は、本発明の機能処理を実現するためのコンピュータプログラム自体も含まれる。
【００３８】
その場合、プログラムの機能を有していれば、オブジェクトコード、インタプリタにより実行されるプログラム、ＯＳに供給するスクリプトデータ等の形態であってもよい。
【００３９】
プログラムを供給するための記録媒体としては種々の記録媒体を使用することができる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００４０】
その他、プログラムの供給方法としては、クライアントコンピュータのブラウザを用いてインターネットのホームページに接続する。そして、ホームページから本発明のコンピュータプログラムそのもの、もしくは圧縮され自動インストール機能を含むファイルをハードディスク等の記録媒体にダウンロードすることによっても供給できる。
【００４１】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００４３】
また、コンピュータが、読み出したプログラムを実行することによって、前述した実施形態の機能が実現される他、コンピュータ上で稼動しているＯＳなどが、実際の処理の一部または全部を行うことによっても前述した実施形態の機能が実現され得る。
【００４４】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００４５】
【図１】本発明の実施形態を示し、送電装置と充電装置との間で送電及び充電を行うシステムの概略構成を説明するブロック図である。
【図２】本発明の実施形態を示し、送電装置と充電装置との間で送電及び充電を行うシーケンスの一例を示す図である。
【図３】本発明の実施形態を示し、送電装置が供給可能な電力量を算出する手順を説明するフローチャ−トである。
【図４】本発明の実施形態を示し、充電装置が要求充電量を算出する手順を説明するフローチャ−トである。
【符号の説明】
【００４６】
１００  商用電源
１０１  商用電源アダプタ
２００  送電装置
２０１  送受信部
２０２  電力伝送部
２０３  充電制御部
２０４  電源制御部
２０５  バッテリ
３００  充電装置
３０１  送受信部
３０２  電力伝送部
３０３  充電制御部
３０４  電源制御部
３０５  バッテリ
【図１】
0005376895.tif 000002
【図２】
0005376895.tif 000003
【図３】
0005376895.tif 000004
【図４】
0005376895.tif 000005